(57)【要約】【課題】  利用期間等に応じてコンテンツの配信をコントロールできるようにする。【解決手段】  末端送信機３に携帯受信端末２を装着してコンテンツのダウンロードを受けると、例えば、各携帯受信端末２を末端送信機３へセットした期間等が累計されて管理される。所定の操作の期間が予め規定された値に到達すると、無料でコンテンツをダウンロードできるようにする等の特典が与えられる。また、携帯受信端末２を単体で利用した際の所定の操作の期間等が累計され、末端送信機３へのセット時に携帯受信端末２から末端送信機３へ情報が通知されて、無料でコンテンツをダウンロードできるようにする等の特典が与えられる。【選択図】        図１
2005339026.tif 000002
【特許請求の範囲】
【請求項１】
コンテンツ送信装置とコンテンツ受信装置に備えた通信手段の間で接続を確立して、前記コンテンツ送信装置から前記コンテンツ受信装置へコンテンツを配信するコンテンツ配信システムにおいて、
前記コンテンツ受信装置の利用で発生する事象を検出して、所定の操作毎の実行期間情報を累計する期間累計手段と、
前記期間累計手段で累計した実行期間情報に応じて、コンテンツの配信条件を変更する配信管理手段と
を備えたことを特徴とするコンテンツ配信システム。
【請求項２】
前記コンテンツ送信装置と前記コンテンツ受信装置の少なくとも一方に、前記配信管理手段で変更されたコンテンツの配信条件を利用者に通知する通知手段を備えた
ことを特徴とする請求項１記載のコンテンツ配信システム。
【請求項３】
前記コンテンツ送信装置への前記コンテンツ受信装置の装着の有無を検出する装着検出手段を備え、
前記期間累計手段は、前記実行期間情報として前記装着検出手段で検出した装着期間を累計する
ことを特徴とする請求項１記載のコンテンツ配信システム。
【請求項４】
前記期間累計手段は、前記実行期間情報として、前記コンテンツ受信装置の前記コンテンツ送信装置に対する接続試行期間を累計する
ことを特徴とする請求項１記載のコンテンツ配信システム。
【請求項５】
前記期間累計手段と前記配信管理手段を前記コンテンツ送信装置に備え、
前記期間累計手段は、前記コンテンツ受信装置毎に実行期間情報を累計し、
前記配信管理手段は、前記実行期間情報に応じて該当コンテンツ受信装置に対してコンテンツの配信条件を変更する
ことを特徴とする請求項１記載のコンテンツ配信システム。
【請求項６】
前記期間累計手段と前記配信管理手段を前記コンテンツ受信装置に備え、
前記期間累計手段は前記コンテンツ受信装置において前記実行期間情報を累計し、
前記配信管理手段は前記実行期間情報に応じてコンテンツの配信条件を変更する
ことを特徴とする請求項１記載のコンテンツ配信システム。
【請求項７】
前記配信管理手段で変更されたコンテンツの配信条件情報が前記コンテンツ送信装置に通知される
ことを特徴とする請求項６記載のコンテンツ配信システム。
【請求項８】
前記期間累計手段を前記コンテンツ受信装置に備え、前記配信管理手段を前記コンテンツ送信装置に備えて、
前記期間累計手段は前記コンテンツ受信装置において前記実行期間情報を累計し、
前記配信管理手段は、前記コンテンツ送信装置と前記コンテンツ受信装置の接続時に、前記コンテンツ受信装置から前記実行期間情報を取得して、該当コンテンツ受信装置に対するコンテンツの配信条件を変更する
ことを特徴とする請求項１記載のコンテンツ配信システム。
【請求項９】
コンテンツ送信装置とコンテンツ受信装置の間で通信を行いコンテンツを配信するコンテンツ配信システムにおいて、
前記コンテンツ受信装置の利用で発生する事象を検出して、所定の操作毎の実行期間情報を累計する期間累計手段と、
前記期間累計手段で累計した実行期間情報に応じて、コンテンツの配信条件を変更する配信管理手段と、
前記コンテンツ送信装置から前記コンテンツ受信装置へ通信を行う第１の通信手段と、
少なくとも前記コンテンツ受信装置から前記コンテンツ送信装置へ通信を行う第２の通信手段と
を備えたことを特徴とするコンテンツ配信システム。
【請求項１０】
前記コンテンツ送信装置と前記コンテンツ受信装置の少なくとも一方に、前記配信管理手段で変更されたコンテンツの配信条件を利用者に通知する通知手段を備えた
ことを特徴とする請求項９記載のコンテンツ配信システム。
【請求項１１】
前記コンテンツ送信装置への前記コンテンツ受信装置の装着の有無を検出する装着検出手段を備え、
前記期間累計手段は、前記実行期間情報として前記装着検出手段で検出した装着期間を累計する
ことを特徴とする請求項９記載のコンテンツ配信システム。
【請求項１２】
前記期間累計手段は、前記実行期間情報として、前記第２の通信手段による前記コンテンツ受信装置の前記コンテンツ送信装置に対する接続試行期間を累計する
ことを特徴とする請求項９記載のコンテンツ配信システム。
【請求項１３】
前記第１の通信手段は光通信手段で、前記第２の通信手段は無線通信手段である
ことを特徴とする請求項９記載のコンテンツ配信システム。
【請求項１４】
前記光通信手段は、一対の発光手段および受光手段を備え、前記発光手段と前記受光手段が対向する位置へガイドして前記コンテンツ送信装置と前記コンテンツ受信装置を着脱自在に結合する光結合手段を備えた
ことを特徴とする請求項１３記載のコンテンツ配信システム。
【請求項１５】
前記第１の通信手段は無線通信手段で、前記第２の通信手段は光通信手段である
ことを特徴とする請求項９記載のコンテンツ配信システム。
【請求項１６】
前記期間累計手段と前記配信管理手段を前記コンテンツ送信装置に備え、
前記期間累計手段は、前記コンテンツ受信装置毎に実行期間情報を累計し、
前記配信管理手段は、前記実行期間情報に応じて該当コンテンツ受信装置に対してコンテンツの配信条件を変更する
ことを特徴とする請求項９記載のコンテンツ配信システム。
【請求項１７】
前記期間累計手段と前記配信管理手段を前記コンテンツ受信装置に備え、
前記期間累計手段は前記コンテンツ受信装置において前記実行期間情報を累計し、
前記配信管理手段は前記実行期間情報に応じてコンテンツの配信条件を変更する
ことを特徴とする請求項９記載のコンテンツ配信システム。
【請求項１８】
前記配信管理手段で変更されたコンテンツの配信条件情報が前記第２の通信手段より前記コンテンツ送信装置に通知される
ことを特徴とする請求項１７記載のコンテンツ配信システム。
【請求項１９】
前記期間累計手段を前記コンテンツ受信装置に備え、前記配信管理手段を前記コンテンツ送信装置に備えて、
前記期間累計手段は前記コンテンツ受信装置において前記実行期間情報を累計し、
前記配信管理手段は、前記コンテンツ送信装置と前記コンテンツ受信装置の接続時に、前記第２の通信手段により前記コンテンツ受信装置から前記実行期間情報を取得して、該当コンテンツ受信装置に対するコンテンツの配信条件を変更する
ことを特徴とする請求項９記載のコンテンツ配信システム。
【請求項２０】
コンテンツ受信装置に備えた通信手段との間で接続を確立して、前記コンテンツ受信装置へコンテンツを配信するコンテンツ送信装置において、
前記コンテンツ受信装置の利用で発生する事象を検出して、所定の操作毎の実行期間情報を各コンテンツ受信装置毎に累計する期間累計手段と、
前記期間累計手段で累計した実行期間情報に応じて、該当コンテンツ受信装置に対するコンテンツの配信条件を変更する配信管理手段と
を備えたことを特徴とするコンテンツ送信装置。
【請求項２１】
前記配信管理手段で変更されたコンテンツの配信条件を利用者に通知する通知手段を備えた
ことを特徴とする請求項２０記載のコンテンツ送信装置。
【請求項２２】
前記コンテンツ受信装置の装着の有無を検出する装着検出手段を備え、
前記期間累計手段は、前記実行期間情報として前記装着検出手段で検出した装着期間を累計する
ことを特徴とする請求項２０記載のコンテンツ送信装置。
【請求項２３】
コンテンツ受信装置に備えた通信手段との間で接続を確立して、前記コンテンツ受信装置へコンテンツを配信するコンテンツ送信装置において、
前記コンテンツ受信装置に備えた期間累計手段によって、前記コンテンツ受信装置の利用で発生する事象が検出されて累計された所定の操作毎の実行期間情報が通知され、
前記通知された実行期間情報に応じて、該当コンテンツ受信装置に対するコンテンツの配信条件を変更する配信管理手段を備えた
ことを特徴とするコンテンツ送信装置。
【請求項２４】
前記配信管理手段で変更されたコンテンツの配信条件を利用者に通知する通知手段を備えた
ことを特徴とする請求項２３記載のコンテンツ送信装置。
【請求項２５】
前記期間累計手段は、前記実行期間情報として、前記コンテンツ受信装置の接続試行期間を累計する
ことを特徴とする請求項２３記載のコンテンツ送信装置。
【請求項２６】
コンテンツ送信装置に備えた通信手段との間で接続を確立して、前記コンテンツ送信装置からのコンテンツの配信を受けるコンテンツ受信装置において、
自機の利用で発生する事象を検出して、所定の操作毎の実行期間情報を累計する期間累計手段と、
前記期間累計手段で累計した実行期間情報を前記コンテンツ送信装置に通知する期間情報通知手段と
を備えたことを特徴とするコンテンツ受信装置。
【請求項２７】
前記期間累計手段は、前記実行期間情報として操作手段の操作期間を累計する
ことを特徴とする請求項２６記載のコンテンツ受信装置。
【請求項２８】
コンテンツ送信装置に備えた通信手段との間で接続を確立して、前記コンテンツ送信装置からのコンテンツの配信を受けるコンテンツ受信装置において、
自機の利用で発生する事象を検出して、所定の操作毎の実行期間情報を累計する期間累計手段と、
前記期間累計手段で累計した実行期間情報に応じて、コンテンツの配信条件を変更する配信管理手段と
を備えたことを特徴とするコンテンツ受信装置。
【請求項２９】
前記配信管理手段で変更されたコンテンツの配信条件情報が前記コンテンツ送信装置に通知される
ことを特徴とする請求項２８記載のコンテンツ受信装置。
【請求項３０】
前記期間累計手段は、前記実行期間情報として操作手段の操作期間を累計する
ことを特徴とする請求項２８記載のコンテンツ受信装置。
【請求項３１】
コンテンツ送信装置とコンテンツ受信装置の間で接続を確立して、前記コンテンツ送信装置から前記コンテンツ受信装置へコンテンツを配信するコンテンツ配信方法において、
前記コンテンツ受信装置の利用で発生する事象を検出して、所定の操作毎の実行期間情報を累計し、
前記累計した実行期間情報に応じて、コンテンツの配信条件を変更する
ことを特徴とするコンテンツ配信方法。
【請求項３２】
前記実行期間情報を前記各コンテンツ受信装置で累計しておき、
前記コンテンツ送信装置と前記コンテンツ受信装置の接続時に、前記実行期間情報が前記コンテンツ受信装置から前記コンテンツ送信装置に通知される
ことを特徴とする請求項３１記載のコンテンツ配信方法。
【発明の詳細な説明】
【技術分野】
【０００１】
本発明は、コンテンツの配信を行うコンテンツ配信システム、このコンテンツ配信システムを構成するコンテンツ送信装置およびコンテンツ受信装置と、コンテンツ配信方法に関する。詳しくは、利用期間等に応じてコンテンツの配信をコントロールできるようにしたものである。
【背景技術】
【０００２】
街頭等の公共性の高い場所でコンテンツ配信を実現するためには、不特定多数のユーザが利用するため、簡単な操作でかつ短時間でコンテンツを配信することが求められる。
【０００３】
コンテンツの伝送手段として電気的なケーブルを利用する方式では、大容量のコンテンツを短時間で配信することができない。そこで、光通信を利用したコンテンツ配信システムが提案されている
コンテンツの伝送手段として光通信を利用する方式では、まず、光ファイバケーブルの使用が考えられる。しかし、光ファイバケーブルのコネクタは繰り返しの着脱に対する耐久性が低く、不特定多数のユーザが利用するシステムには適さない。
【０００４】
このため、非接触で光通信を行えるようにしたシステムも提案されている（例えば、特許文献１参照。）。
【０００５】
【特許文献１】特開２００３−２５８７３７号公報
【発明の開示】
【発明が解決しようとする課題】
【０００６】
コンテンツの配信側と受信側の通信を光通信で行うことで、大容量のコンテンツの配信は可能となる。しかし、頻繁にコンテンツの配信を受けてもらうためには、利用を促進する機能が必要となってくる。
【０００７】
本発明は、このような課題を解決するためになされたもので、利用期間に応じてコンテンツの配信をコントロールできるようにしたコンテンツ配信システム、このコンテンツ配信システムを構成するコンテンツ送信装置およびコンテンツ受信装置と、コンテンツ配信方法を提供することを目的とする。
【課題を解決するための手段】
【０００８】
上述した課題を解決するため、本発明に係るコンテンツ配信システムは、コンテンツ送信装置とコンテンツ受信装置に備えた通信手段の間で接続を確立して、コンテンツ送信装置からコンテンツ受信装置へコンテンツを配信するコンテンツ配信システムにおいて、コンテンツ受信装置の利用で発生する事象を検出して、所定の操作毎の実行期間情報を累計する期間累計手段と、期間累計手段で累計した実行期間情報に応じて、コンテンツの配信条件を変更する配信管理手段とを備えたものである。
【０００９】
本発明に係るコンテンツ配信システムでは、コンテンツ受信装置を利用すると、コンテンツ受信装置の利用で発生する事象が検出され、所定の操作毎の実行期間情報が累計する。そして、所定の操作に対する実行期間情報に応じて、コンテンツの配信条件を変更する。
【００１０】
また、本発明に係るコンテンツ配信システムは、コンテンツ送信装置とコンテンツ受信装置の間で通信を行いコンテンツを配信するコンテンツ配信システムにおいて、コンテンツ受信装置の利用で発生する事象を検出して、所定の操作毎の実行期間情報を累計する期間累計手段と、期間累計手段で累計した実行期間情報に応じて、コンテンツの配信条件を変更する配信管理手段と、コンテンツ送信装置からコンテンツ受信装置へ通信を行う第１の通信手段と、少なくともコンテンツ受信装置からコンテンツ送信装置へ通信を行う第２の通信手段とを備えたものである。
【００１１】
本発明に係るコンテンツ配信システムでは、コンテンツ受信装置を利用すると、コンテンツ受信装置の利用で発生する事象が検出され、所定の操作毎の実行期間情報が累計する。そして、所定の操作に対する実行期間情報に応じて、コンテンツの配信条件を変更する。
【００１２】
本発明に係るコンテンツ送信装置は、コンテンツ受信装置に備えた通信手段との間で接続を確立して、コンテンツ受信装置へコンテンツを配信するコンテンツ送信装置において、コンテンツ受信装置の利用で発生する事象を検出して、所定の操作毎の実行期間情報を各コンテンツ受信装置毎に累計する期間累計手段と、期間累計手段で累計した実行期間情報に応じて、該当コンテンツ受信装置に対するコンテンツの配信条件を変更する配信管理手段とを備えたものである。
【００１３】
本発明に係るコンテンツ送信装置では、コンテンツ受信装置が利用されると、コンテンツ受信装置の利用で発生する事象を検出し、所定の操作毎の実行期間情報を累計する。そして、所定の操作に対する実行期間情報に応じて、コンテンツの配信条件を変更する。
【００１４】
また、本発明に係るコンテンツ送信装置は、コンテンツ受信装置に備えた通信手段との間で接続を確立して、コンテンツ受信装置へコンテンツを配信するコンテンツ送信装置において、コンテンツ受信装置に備えた期間累計手段によって、コンテンツ受信装置の利用で発生する事象が検出されて累計された所定の操作毎の実行期間情報が通知され、通知された実行期間情報に応じて、該当コンテンツ受信装置に対するコンテンツの配信条件を変更する配信管理手段を備えたものである。
【００１５】
本発明に係るコンテンツ送信装置では、コンテンツ受信装置が利用され、コンテンツ受信装置の利用で発生する事象が検出されて累計された実行期間情報が通知されると、通知された実行期間情報に応じて、コンテンツの配信条件を変更する。
【００１６】
本発明に係るコンテンツ受信装置は、コンテンツ送信装置に備えた通信手段との間で接続を確立して、コンテンツ送信装置からのコンテンツの配信を受けるコンテンツ受信装置において、自機の利用で発生する事象を検出して、所定の操作毎の実行期間情報を累計する期間累計手段と、期間累計手段で累計した実行期間情報をコンテンツ送信装置に通知する期間情報通知手段とを備えたものである。
【００１７】
本発明に係るコンテンツ受信装置では、自機の利用で発生する事象を検出し、所定の操作毎の実行期間情報を累計する。そして、コンテンツ送信装置とコンテンツ受信装置が接続されると、実行期間情報をコンテンツ送信装置に通知する。
【００１８】
また、本発明に係るコンテンツ受信装置は、コンテンツ送信装置に備えた通信手段との間で接続を確立して、コンテンツ送信装置からのコンテンツの配信を受けるコンテンツ受信装置において、自機の利用で発生する事象を検出して、所定の操作毎の実行期間情報を累計する期間累計手段と、期間累計手段で累計した実行期間情報に応じて、コンテンツの配信条件を変更する配信管理手段とを備えたものである。
【００１９】
本発明に係るコンテンツ受信装置では、自機の利用で発生する事象を検出し、所定の操作毎の実行期間情報を累計する。そして、所定の操作に対する実行期間情報に応じて、コンテンツの配信条件を変更する。
【００２０】
本発明に係るコンテンツ配信方法は、コンテンツ送信装置とコンテンツ受信装置の間で接続を確立して、コンテンツ送信装置からコンテンツ受信装置へコンテンツを配信するコンテンツ配信方法において、コンテンツ受信装置の利用で発生する事象を検出して、所定の操作毎の実行期間情報を累計し、累計した実行期間情報に応じて、コンテンツの配信条件を変更するようにしたものである。
【００２１】
本発明に係るコンテンツ配信方法では、コンテンツ受信装置が利用されると、コンテンツ受信装置の利用で発生する事象が検出され、所定の操作毎の実行期間情報が累計される。そして、所定の操作に対する実行期間情報に応じて、コンテンツの配信条件が変更される。
【発明の効果】
【００２２】
本発明によれば、コンテンツ受信装置の利用で発生する事象を検出して、所定の操作毎の実行期間を累計し、各操作の実行期間に応じてコンテンツの配信条件を切り替えるので、操作内容に応じて利用者に対して特典を与える等によって、利用を促進させることができる。
【００２３】
例えば、コンテンツ受信装置をコンテンツ送信装置に装着した期間の累計により特典を与えることができ、コンテンツ受信装置をコンテンツ送信装置に頻繁に装着させる誘導を行い、利用を促進させることができる。
【００２４】
また、コンテンツ受信装置を単体で利用した際の操作情報についても実行期間を累計しておき、コンテンツ送信装置への装着時に特典を与えることができるので、コンテンツの再生等、コンテンツ受信装置単体での利用も促進することができる。
【発明を実施するための最良の形態】
【００２５】
以下、図面を参照して本発明のコンテンツ配信システム、コンテンツ送信装置、コンテンツ受信装置およびコンテンツ配信方法の実施の形態について説明する。
【００２６】
＜コンテンツ配信システムの概要＞
図１は本実施の形態のコンテンツ配信システムの概要を示す構成図である。本実施の形態のコンテンツ配信システム１は、コンテンツの配信サービスの利用者が所有する携帯受信端末２に、街頭等に設置した末端送信機３で映像や音楽等のコンテンツを配信する構成である。
【００２７】
コンテンツ配信システム１では、どの携帯受信端末２がどのコンテンツの配信を要求しているか、携帯受信端末２のユーザやサービスの提供者等により通知され、データファイル更新配信センタ４で事前に登録される。
【００２８】
データファイル更新配信センタ４では、ダウンロードを要求する携帯受信端末２を特定する情報と、配信されるべきコンテンツを対応づけて配信管理情報を作成し、ネットワーク５を介して接続された各末端送信機３に配信する。
【００２９】
携帯受信端末２は、末端送信機３にセットすると末端送信機３に対してダウンロード要求を行う。末端送信機３は、携帯受信端末２からのダウンロード要求に応じて、携帯受信端末２へ該当コンテンツのデータファイルをダウンロードする。
【００３０】
そして、本実施の形態のコンテンツ配信システム１では、ある条件が達成されたときに、予め決められた達成時動作を起動する。達成時動作として代表的なものは、例えば、携帯受信端末２が末端送信機３からあるコンテンツをダウンロードすることが可能になるか不可能になるか等、配信条件の変更である。
【００３１】
条件として代表的なものは、携帯受信端末２を利用することで発生するあるイベントの継続期間が予め決められた規定値に達するということである。対象イベントとしては、例えば、携帯受信端末２を末端送信機３にセットするという操作や、接続を試行するという操作等である。
【００３２】
これにより、携帯受信端末２が末端送信機３にセットされた継続期間を条件として規定し、その条件に合致したことが検出されれば、あるデータファイルに関する現状のダウンロード可否を逆転させ、条件が合致しなければダウンロード可否を現状の設定で継続する。
【００３３】
例えば、任意の携帯受信端末２のある特定の末端送信機３へのセット期間の累計が規定期間である例えば２時間に達すると、達成時動作として例えば該当携帯受信端末２では、特定データファイルを無料でダウンロード可能とする等の特典を与えることができる。
【００３４】
また、後述するが、任意の携帯受信端末２の接続試行期間の累計が規定期間である例えば１０分に達すると、達成時動作として例えば優先的に接続を許可する等の特典を与えることができる。
【００３５】
＜第１の実施の形態のコンテンツ配信システムの具体的構成例＞
図２は第１の実施の形態のコンテンツ配信システム１Ａの構成例を示すブロック図で、まず、末端送信機３Ａと携帯受信端末２Ａの具体的な構成例について説明する。
【００３６】
ここで、末端送信機３Ａから携帯受信端末２Ａへの通信をダウンリンク、携帯受信端末２Ａから末端送信機３Ａへの通信をアップリンクと称す。本例ではダウンリンクチャネルを空間伝送による光通信で実現し、アップリンクチャネルは無線通信で実現する。このように、ダウンリンクチャネルとアップリンクチャネルを非対称とすることで、簡単な構成の光結合手段を利用して、携帯受信端末２Ａと末端送信機３Ａを着脱自在な構成とし、かつ末端送信機３Ａから高速通信で携帯受信端末２Ａへコンテンツを配信できるようにする。
【００３７】
末端送信機３Ａの構成から説明すると、末端送信機３Ａは、発光部１１と、キャッシュメモリ１２と、ブリッジＩＣ１３と、シリアライザ１４を備える。発光部１１はダウンリンク用送信デバイスの一例で、第１の通信手段を構成する。発光部１１は発光手段としてレーザダイオード１５を備えて、電気信号を光信号に変換して出力する。
【００３８】
キャッシュメモリ１２はいわゆる高速ストレージデバイスの一例で、ＲＡＭ等で構成され、レーザダイオード１５から出力するコンテンツのデータファイルを格納する。
【００３９】
ブリッジＩＣ１３はキャッシュメモリ１２からデータファイルを読み出す。また、キャッシュメモリ１２にデータファイルを書き込む。
【００４０】
シリアライザ１４はキャッシュメモリ１２からブリッジＩＣ１３により読み出されたデータファイルを、パラレルデータからシリアルデータに変換してレーザダイオード１５に送る。
【００４１】
また、末端送信機３Ａは、主記憶装置１６と、システムコントローラ１７と、メモリ１８と、外部Ｉ／Ｏ１９を備える。主記憶装置１６はいわゆる低速ストレージデバイスの一例で、例えばハードディスクドライブ装置（ＨＤＤ）等で構成され、キャッシュメモリ１２に格納するデータファイルを格納する。
【００４２】
ここで、キャッシュメモリ１２と主記憶装置１６の間では、ダウンロードの頻度等を契機のデータファイルの入出力制御が行われる。また、所定のタイミングで、主記憶装置１６およびキャッシュメモリ１２のデータファイルを削除し、図１に示すデータファイル更新管理センタ４等からの新しいコンテンツのデータファイルに更新する更新制御が行われる。
【００４３】
システムコントローラ１７はＣＰＵ等で構成され、コンテンツの配信制御を行う。メモリ１８はＲＡＭおよびＲＯＭ等で構成され、システムコントローラ１７で実行されるプログラム等を格納する。外部Ｉ／Ｏ１９は入出力手段の一例で、例えば操作部である。
【００４４】
更に、末端送信機３Ａは、無線通信部２０とネットワーク通信部２１を備える。無線通信部２０はアップリンク用受信デバイスの一例で、第２の通信手段を構成する。無線通信部２０は携帯受信端末２Ａと通信を行うので、近距離通信が出来れば良く、例えばＢｌｕｅｔｏｏｔｈやＩＥＥＥ８０２．１１の使用が考えられる。なお、ＢｌｕｅｔｏｏｔｈとＩＥＥＥ８０２．１１は干渉しないので、２つの通信機能を備えてもよい。
【００４５】
ネットワーク通信部２１は例えば図１に示すデータファイル更新配信センタ４とインターネットや専用回線等を介して接続される。
【００４６】
また、末端送信機３Ａは、検出スイッチ２２とディスプレイ２４を備える。検出スイッチ２２は装着検出手段の一例で、例えば一対の受発光素子を備えた光センサ等で構成される。なお、検出スイッチ２２は携帯受信端末２Ａの装着を検出できれば良く、携帯受信端末２Ａとの通信が行えるか否かを検出する必要はない。
【００４７】
ディスプレイ２４は通知手段の一例で、携帯受信端末２Ａの利用状況に応じて実行可能となる動作等をユーザに通知する。
【００４８】
末端送信機３Ａのシステムコントローラ１７は、携帯受信端末２Ａを利用することで発生する各種イベントの実行期間に応じたコンテンツ配信制御を行うため、プログラムを実行することで実現する機能として、イベント検出機能１７ａと、実行期間計数機能１７ｂと、きっかけ条件検出機能１７ｃと、達成時動作作動機能１７ｄを備える。
【００４９】
また、これら機能で使用するデータを格納するため、メモリ１８には期間規定テーブル１０１と期間記録テーブル１０２が格納される。
【００５０】
イベント検出機能１７ａは、対象となるイベントを検出したか判断する機能である。実行期間計数機能１７ｂは、イベントの実行期間を計数する機能である。きっかけ条件検出機能１７ｃは、対象となるイベントの実行期間が目標期間に達したか判断する機能である。達成時動作作動機能１７ｄは、対象となるイベントの実行期間が目標期間に達した場合に、指定された動作を実行可能とする機能である。これら機能により、期間累計手段と配信管理手段が構成される。
【００５１】
図３は期間規定テーブルの一例である。期間規定テーブル１０１は、イベント名、目標期間および達成時動作を対応付けたテーブルである。検出すべき対象イベントとしては、例えば、携帯受信端末２Ａのセット期間と、接続試行期間が規定される。
【００５２】
またそれぞれのイベントに対して目標期間が登録され、かつ、それぞれのイベントに対して目標期間に達した場合に実行を許可する動作が規定される。
【００５３】
例えば、図３に示す期間規定テーブル１０１の第１行目では、ある１台の携帯受信端末２Ａの末端送信機３Ａへのセット期間の累計が２０分となると、達成時動作として、特典データファイル（ＤＦ−００８４５）のダウンロードを許可すると規定されている。
【００５４】
同様に第２行目では、ある１台の携帯受信端末２Ａの末端送信機３Ａへの接続試行期間の累計が１０分になると、以降５回分は優先的に接続すると規定されている。ここで、この第２行目は、後述するように、携帯受信端末２で期間規定テーブルを使用する場合に用いられる規定である。
【００５５】
図４は期間記録テーブルの一例である。期間記録テーブル１０２は、携帯受信端末２Ａ毎に対象イベントの実行期間情報が記録されるテーブルである。各携帯受信端末２Ａは固有の端末番号で管理され、後述するようにアップリンクのあった携帯受信端末２Ａ毎に、端末番号と、検出されたイベント名と、そのイベントを実行した累計期間が記録される。
【００５６】
次に、携帯受信端末２Ａの構成について説明する。携帯受信端末２Ａは受光部２５と、キャッシュメモリ２６と、ブリッジＩＣ２７と、デシリアライザ２８を備える。受光部２５はダウンリンク用受信デバイスの一例で、発光部１１と対になって第１の通信手段を構成する。受光部２５は受光手段としてフォトディテクタ２９を備えて、受光した光信号を電気信号に変換する。
【００５７】
キャッシュメモリ２６は高速ストレージデバイスの一例で、ＲＡＭ等で構成され、末端送信機３Ａから受信したデータファイルを格納する。ブリッジＩＣ２７はキャッシュメモリ２６にデータファイルを書き込む。また、キャッシュメモリ２６からデータファイルを読み出す。
【００５８】
デシリアライザ２８はフォトディテクタ２９で電気信号に変換されたデータファイルを、シリアルデータからパラレルデータに変換してブリッジＩＣ２７に送る。
【００５９】
また、携帯受信端末２Ａはシステムコントローラ３０と、メモリ３１と、外部Ｉ／Ｏ３２を備える。システムコントローラ３０はＣＰＵ等で構成され、フォトディテクタ２９で受信したデータファイルのキャッシュメモリ２６への格納、キャッシュメモリ２６に格納したデータファイルの読み出し等の制御を行う。メモリ３１はＲＡＭおよびＲＯＭ等で構成され、システムコントローラ３０で実行されるプログラム等を格納する。外部Ｉ／Ｏ３２は入出力手段の一例で、例えば操作手段を構成する操作ボタン等の操作部である。
【００６０】
更に、携帯受信端末２Ａはレーザセンサ３３とディスプレイ３４を備える。レーザセンサ３３は光検出手段の一例で、フォトディテクタ２９がレーザ光を受信したか否かを検出する。ディスプレイ３４は通知手段の一例で、例えば末端送信機３Ａから通知された利用状況に応じて実行可能とされた動作等をユーザに通知する。
【００６１】
また、携帯受信端末２Ａは無線通信部３５を備える。無線通信部３５はアップリンク用送信デバイスの一例で、末端送信機３Ａの無線通信部２０と対になって第２の通信手段を構成する。無線通信部３５は無線通信部２０と同じ通信機能を備えれば良く、例えばＢｌｕｅｔｏｏｔｈやＩＥＥＥ８０２．１１の使用が考えられる。なお、ＢｌｕｅｔｏｏｔｈとＩＥＥＥ８０２．１１は干渉しないので、２つの通信機能を備えてもよい。
【００６２】
なお、携帯受信端末２Ａは主記憶装置３６を備えても良い。主記憶装置３６は低速ストレージデバイスの一例で、ハードディスクドライブ装置等で構成され、キャッシュメモリ２６に格納したデータファイルを格納する。
【００６３】
主記憶装置３６はキャッシュメモリ２６より容量が大きく、末端送信機３Ａから配信されてキャッシュメモリ２６に格納されたコンテンツのデータファイルを、主記憶装置３６に移動して格納することで、携帯受信端末２Ａでコンテンツを保存できるようになる。
【００６４】
携帯受信端末２Ａのシステムコントローラ３０は、イベントの実行期間に応じたコンテンツ配信制御を行うため、プログラムを実行することで実現する機能として、達成時動作作動機能３０ａを備える。達成時動作作動機能３０ａは、対象となるイベントの実行期間が目標期間に達したことが末端送信機３Ａから通知された場合に、末端送信機３Ａから指定された動作を実行可能とする。
【００６５】
図５は携帯受信端末の構成例を示す外観斜視図で、図５（ａ）は携帯受信端末２Ａの正面側の構成を示し、図５（ｂ）は携帯受信端末２Ａの裏面側の構成を示す。
【００６６】
携帯受信端末２Ａは例えば筐体の正面にディスプレイ３４を備える。また、ディスプレイ３４で再生するコンテンツの指定等を行うため操作部４４を備える。更に、携帯受信端末２Ａは筐体の裏面に受光部２５を備える。
【００６７】
図６は末端送信機３Ａの構成例を示す外観斜視図で、図６（ａ）は末端送信機単体の状態を示し、図６（ｂ）は携帯受信端末２Ａが装着された状態を示す。
【００６８】
末端送信機３Ａは上面に携帯受信端末２Ａの装着部４５を備え、装着部４５に発光部１１を備える。また、装着部４５と並べてディスプレイ２４を備える。なお、図６（ｂ）に示すように、携帯受信端末２Ａが末端送信機３Ａの装着部４５に装着された状態で、ディスプレイ２４が隠れないように各部の配置が設定される。
【００６９】
また、末端送信機３Ａは装着部４５に図２で説明した検出スイッチ２２を備える。図６（ｂ）に示すように、携帯受信端末２Ａが末端送信機３Ａの装着部４５に装着されると、検出スイッチ２２は携帯受信端末２Ａの存在を検出することができる。
【００７０】
なお、図５に示す携帯受信端末２Ａの受光部２５と図６に示す末端送信機３Ａの発光部１１は着脱自在に結合し、末端送信機３Ａから出射されたレーザ光を携帯受信端末２Ａで受光する。そして、ユーザが携帯受信端末２Ａを末端送信機３Ａの装着部４５にセットする際に、大まかな位置合わせをしてセットすれば、発光側と受光側の光軸が一致するような構成を備える。
【００７１】
例えば、光結合手段として、凸状のホルダと凹状のホルダを備える。凸ホルダは例えば半球状の凸球面で構成され、凹ホルダに嵌めると、光軸が一致する方向に位置合わせが行われる構成である。また、凸ホルダと凹ホルダに突き当てにより光軸を傾斜させずに互いを保持する突き当て面を備える。
【００７２】
これにより、携帯受信端末２Ａを末端送信機３Ａの装着部４５に置くだけで、携帯受信端末２Ａへコンテンツが配信できるようなシステムが構成される。
【００７３】
＜第１の実施の形態のコンテンツ配信システムの動作例＞
上述したコンテンツ配信システム１の動作の概要を説明すると、コンテンツのダウンロードを可能とする携帯受信端末２Ａを特定するため、事前にコンテンツの配信対象となる携帯受信端末２Ａを特定する情報が末端送信機３Ａに登録される。末端送信機３Ａでは、特定の携帯受信端末２Ａからのダウンロード要求に対して該当コンテンツの配信を行う。
【００７４】
図７および図８は末端送信機３Ａから携帯受信端末２Ａへの配信処理例を示すフローチャートで、まず、末端送信機３Ａから携帯受信端末２Ａへコンテンツを配信する動作について説明する。
【００７５】
ステップＡ１：末端送信機３Ａのシステムコントローラ１７は、検出スイッチ２２が携帯受信端末２Ａを検出するまでは、レーザダイオード１５の駆動を停止し、データファイルの転送を行わない待機状態とする。
【００７６】
ステップＡ２：コンテンツ配信サービスの利用者である携帯受信端末２Ａのユーザは、端末受信端末２を図６に示す末端送信機３Ａの装着部４５にセットすべく、携帯受信端末２Ａを末端送信機３Ａに近づける。
【００７７】
ステップＡ３：末端送信機３Ａのシステムコントローラ１７は、検出スイッチ２２が携帯受信端末２Ａの装着を検出したかチェックする。
【００７８】
ステップＡ４：末端送信機３Ａのシステムコントローラ１７は、携帯受信端末２Ａの装着を検出できない場合は、携帯受信端末２Ａが末端送信機３Ａに装着されていないと判断してステップＡ１に戻る。
【００７９】
ステップＡ５：末端送信機３Ａのシステムコントローラ１７は、携帯受信端末２Ａの装着を検出できた場合は、ダウンリンクキャリアとしてレーザダイオード１５を所定の強度で発光させる。なお、ここでの出力はデータとしての意味を持つ必要はない。
【００８０】
ステップＡ６：携帯受信端末２Ａは末端送信機３Ａからのダウンリンクキャリアを検出したかチェックする。すなわち、末端送信機３Ａのレーザダイオード１５が発光しているので、携帯受信端末２Ａを末端送信機３Ａに正しく装着すると、フォトディテクタ２９にレーザ光が入射する。
【００８１】
携帯受信端末２Ａでは、フォトディテクタ２９へレーザ光が入射したか否かをレーザセンサ３３で検出することで、携帯受信端末２Ａのシステムコントローラ３０はダウンキャリアの有無を検出する。
【００８２】
ステップＡ７：携帯受信端末２Ａのシステムコントローラ３０は、フォトディテクタ２９にレーザ光が入射しておらずダウンリンクキャリアを検出できない場合は、携帯受信端末２Ａが末端送信機３Ａに正しくセットされていないと判断してステップＡ１に戻る。
【００８３】
ステップＡ８：携帯受信端末２Ａのシステムコントローラ３０は、ステップＡ７でダウンリンクキャリアを検出した場合は、携帯受信端末２Ａが末端送信機３Ａに正しくセットされたと判断して、メモリ３１等に予め登録してある自機の端末番号を無線通信部３５を介して末端送信機３Ａに送信する。端末番号は識別情報の一例で、個々の携帯受信端末２Ａで固有の番号であり、末端送信機３Ａは携帯受信端末２Ａを識別することができる。
【００８４】
ステップＡ９：末端送信機３Ａのシステムコントローラ１７は、携帯受信端末２Ａから通知された端末番号が、メモリ１８等に格納した図９に示す配信許諾端末番号テーブルに登録されているかチェックする。
【００８５】
ここで、図９は配信許諾端末番号テーブルの一例を示す。配信許諾端末番号テーブル１０３は、事前に登録されてコンテンツの配信を許諾した携帯受信端末２Ａの端末番号と、指定されたコンテンツのデータファイル名を対応付けたテーブルである。
【００８６】
ステップＡ１０：携帯受信端末２Ａから通知された端末番号が、配信許諾端末番号テーブル１０３に登録されていない場合はステップＡ１１の処理を行い、登録されている場合はステップＡ１２の処理を行う。
【００８７】
ステップＡ１１：携帯受信端末２Ａから通知された端末番号が、配信許諾端末番号テーブル１０３に登録されていない場合は、末端送信機３Ａのシステムコントローラ１７は、ディスプレイ２４に配信可否情報として端末番号が登録されておらず配信許諾されていない旨を表示し、処理を終了する。
【００８８】
また、末端送信機３Ａの無線通信部２０から携帯受信端末２Ａの無線通信部３５への通信機能、あるいは、発光部１１から受光部２５への通信機能を利用して、端末番号が登録されていない旨の情報を携帯受信端末２Ａへ通知することで、端末番号が登録されていない旨を携帯受信端末２Ａのディスプレイ３４で表示することもできる。
【００８９】
ステップＡ１２：ステップＡ１０の判断で、携帯受信端末２Ａから通知された端末番号が、配信許諾端末番号テーブル１０３に登録されている場合は、末端送信機３Ａのシステムコントローラ１７は、配信可否情報としてディスプレイ２４に端末番号が登録されており配信許諾されている旨を表示する。
【００９０】
この場合も、末端送信機３Ａから携帯受信端末２Ａへの通信機能を利用して、端末番号が登録されている旨の情報を携帯受信端末２Ａへ通知することで、端末番号が登録されている旨を携帯受信端末２Ａのディスプレイ３４で表示することもできる。
【００９１】
ステップＡ１３：携帯受信端末２Ａから通知された端末番号が、配信許諾端末番号テーブル１０３に登録されている場合は、末端送信機３Ａのシステムコントローラ１７は、配信許諾端末番号テーブル１０３に登録されている該当端末番号に対応したデータファイル名で特定されるデータファイルを送信する。
【００９２】
すなわち、キャッシュメモリ１２に格納された該当データファイルをブリッジＩＣ１３で読み出し、シリアライザ１４でパラレルデータからシリアルデータに変換し、レーザダイオード１５で電気信号を光信号に変換して送信する。
【００９３】
ステップＡ１４：携帯受信端末２Ａのシステムコントローラ３０は、末端送信機３Ａより受信したデータファイルをキャッシュメモリ２６に格納する。すなわち、受信した光信号をフォトディテクタ２９で電気信号に変換し、デシリアライザ２８でシリアルデータからパラレルデータに変換して、ブリッジＩＣ２７によりキャッシュメモリ２６に格納する。
【００９４】
ステップＡ１５：携帯受信端末２Ａのシステムコントローラ３０は、受信したデータファイルが正常かチェックする。
【００９５】
ステップＡ１６：受信したデータファイルが正常でない場合は、例えばステップＡ１３に戻り、正常に受信されるまで、あるいは検出スイッチ２２が携帯受信端末２Ａの装着を検出しなくなるまで、該当データファイルの送信が繰り返される。
【００９６】
ステップＡ１７：携帯受信端末２Ａのシステムコントローラ３０は、受信したデータファイルが正常な場合は、ダウンロードが終了したことをアップリンクで末端送信機３Ａに通知し、受信処理を終了する。
【００９７】
さて、上述した末端送信機３Ａから携帯受信端末２Ａへのコンテンツの配信処理で、末端送信機３Ａのシステムコントローラ１７は、所定のイベントが発生したか検出し、イベントの実行期間に応じた配信制御を行えるようにする。
【００９８】
図１０はイベントの実行期間に応じた配信制御の第１の処理例を示すフローチャートで、次に、携帯受信端末２Ａの利用により発生したイベントの実行期間を末端送信機３Ａ側で管理して配信制御を行う場合の動作例を説明する。
【００９９】
ステップＢ１：末端送信機３Ａのシステムコントローラ１７は、メモリ１８に予め登録されている期間規定テーブル１０１で規定されているイベントが発生したかイベント検出機能１７ａによりチェックする。
【０１００】
例えば、図３の期間規定テーブル１０１では、検出の対象イベントとして携帯受信端末２Ａのセット期間が規定されている。このため、検出スイッチ２２が携帯受信端末２Ａの装着を検出することにより、イベント検出機能１７ａは対象イベントが発生したと判断する。
【０１０１】
ステップＢ２：期間規定テーブル１０１で規定されているイベントが発生していない場合はステップＢ１に戻る。
【０１０２】
ステップＢ３：期間規定テーブル１０１で規定されているイベントが発生すると、携帯受信端末２Ａから通知された端末番号が、期間記録テーブル１０２に既に登録されているかチェックする。
【０１０３】
ステップＢ４：通知された端末番号が未登録であるとステップＢ５の処理を行い、当該端末番号が既登録であるとステップＢ６の処理を行う。
【０１０４】
ステップＢ５：通知された端末番号が未登録であると、期間記録テーブル１０２に当該端末番号の項目を加え、検出したイベント名と計時した当初期間を記録する。
【０１０５】
ステップＢ６：当該端末番号が既登録であると、検出したイベントは当該端末番号の携帯受信端末２Ａとの間で発生済みかチェックする。
【０１０６】
ステップＢ７：検出したイベントが当該端末番号において未発生であるとステップＢ８の処理を行い、当該イベントが発生済みであるとステップＢ９の処理を行う。
【０１０７】
ステップＢ８：検出したイベントが未発生であると、期間記録テーブル１０２の当該端末番号に該当するイベント名を加え、計時した当初期間を記録する。
【０１０８】
ステップＢ９：検出したイベントが発生済みであると、実行期間計数機能１７ｂにより期間記録テーブル１０２の当該端末番号の該当するイベント名の期間に今回の期間を加算して記録する。
【０１０９】
ステップＢ１０：システムコントローラ１７は、きっかけ条件検出機能１７ｃにより当該イベントの実行期間が期間規定テーブル１０１で規定された目標期間を達成したかチェックする。
【０１１０】
ステップＢ１１：当該イベントの実行期間が目標期間を達成していない場合は、ステップＢ１に戻る。
【０１１１】
ステップＢ１２：当該イベントの実行期間が目標期間を達成した場合は、期間規定テーブル１０１で規定された達成時動作を、達成時動作作動機能１７ｄにより実行する。
【０１１２】
ここで、末端送信機３Ａの無線通信部２０から携帯受信端末２Ａの無線通信部３５への通信機能、あるいは、発光部１１から受光部２５への通信機能を利用して、末端送信機３Ａのシステムコントローラ１７は達成時動作作動機能１７ｃが起動したことを携帯受信端末２Ａに通知する。
【０１１３】
この通知を受けて、携帯受信端末２Ａのシステムコントローラ３０は、達成時動作作動機能３０ａを起動する。
【０１１４】
これにより、末端送信機３Ａと携帯受信端末２Ａの協働で、期間規定テーブル１０１で規定された達成時動作を実行できる状態となる。
【０１１５】
＜第２の実施の形態のコンテンツ配信システムの具体的構成例＞
図１１は第２の実施の形態のコンテンツ配信システム１Ｂの構成例を示すブロック図で、コンテンツ配信システム１の他の構成例について説明する。図１１に示すコンテンツ配信システム１Ｂでは、携帯受信端末２Ｂ単体で発生するイベントの実行期間に応じたコンテンツ配信制御を、末端送信機３Ｂで行えるようにしたものである。
【０１１６】
ここで、図１１において図２と同じ構成については同じ番号を付してここでは説明を省略する。
【０１１７】
携帯受信端末２Ｂのシステムコントローラ３０は、自機を末端送信機３Ｂにセットせずに利用した際に発生するイベントの実行期間を管理するため、プログラムを実行することで実現する機能である期間累計手段と期間情報通知手段として、イベント検出機能３０ｂと、実行期間計数機能３０ｃと、ローカルイベント報告機能３０ｅを備える。
【０１１８】
また、これら機能で使用するデータを格納するため、メモリ３１には例えば図３で説明した期間規定テーブル１０１と後述する期間記録テーブル１０３が格納される。
【０１１９】
イベント検出機能３０ｂは、対象となるイベントを検出したか判断する機能である。実行期間計数機能３０ｃは、イベントの実行期間を計数する機能である。ローカルイベント報告機能３０ｅは、携帯受信端末２Ｂで管理している自機のイベントごとの実行期間等を末端送信機３Ｂに通知する機能である。
【０１２０】
末端送信機３Ｂのシステムコントローラ１７は、携帯受信端末２Ｂを単体で利用した際に発生するイベントの実行期間の通知を受けてコンテンツ配信制御を行うため、プログラムを実行することで実現する機能である配信管理手段として、イベント検出機能１７ａと、きっかけ条件検出機能１７ｃと、達成時動作作動機能１７ｄを備える。
【０１２１】
また、これら機能で使用するデータを格納するため、メモリ１８には図３で説明した期間規定テーブル１０１と期間記録テーブル１０２が格納される。
【０１２２】
イベント検出機能１７ａは、対象となるイベントを検出したか判断する機能である。きっかけ条件検出機能１７ｃは、対象となるイベントの実行期間が目標期間に達したか判断する機能である。達成時動作作動機能１７ｄは、対象となるイベントの実行期間が目標期間に達した場合に、指定された動作を実行可能とする機能である。
【０１２３】
図１２は期間記録テーブルの一例である。携帯受信端末２Ｂで管理される期間記録テーブル１０３は、対象イベントとその実行期間が記録されるテーブルで、図１２の例では、特定コンテンツの再生期間と接続試行期間に関して記録されている。
【０１２４】
＜第２の実施の形態のコンテンツ配信システムの動作例＞
図１３および図１４はイベントの実行期間に応じた配信制御の第２の処理例を示すフローチャートで、次に、携帯受信端末２Ｂでイベントの実行期間を管理し、末端送信機３Ｂでイベントの実行期間に応じたコンテンツの配信制御を行う動作例を説明する。なお、末端送信機３Ｂから携帯受信端末２Ｂへの一般的な配信処理の流れは、図７および図８のフローチャートで説明した通りである。
【０１２５】
まず、図１３を用いて携帯受信端末２Ｂでイベントの実行期間を管理する処理について説明する。
【０１２６】
ステップＣ１：携帯受信端末２Ｂのシステムコントローラ３０は、メモリ３１に予め登録されている期間規定テーブル１０１で規定されているイベントが発生したかイベント検出機能３０ｂによりチェックする。
【０１２７】
ここでは、特定コンテンツの再生を検出対象のイベントとする。例えば、末端送信機３Ｂからのダウンロードを受けて、キャッシュメモリ２６あるいは主記憶装置３６に格納した特定コンテンツを携帯受信端末２Ｂで再生すると、イベント検出機能３０ｂは対象イベントが発生したと判断する。
【０１２８】
ステップＣ２：期間規定テーブル１０１で規定されているイベントが発生していない場合はステップＣ１に戻る。
【０１２９】
ステップＣ３：検出したイベントが期間記録テーブル１０３に登録され発生済みかチェックする。
【０１３０】
ステップＣ４：検出したイベントが未発生であるとステップＣ５の処理を行い、当該イベントが発生済みであるとステップＣ６の処理を行う。
【０１３１】
ステップＣ５：検出したイベントが未発生であると、期間記録テーブル１０２に該当するイベント名を加え、計時した当初期間を記録してステップＣ１に戻る。
【０１３２】
ステップＣ６：検出したイベントが発生済みであると、実行期間計数機能３０ｃにより期間記録テーブル１０３の該当するイベント名の期間に今回の期間を加算して記録し、ステップＣ１に戻る。
【０１３３】
以上の処理で、携帯受信端末２Ｂでは期間規定テーブル１０１で規定されたイベントの実行期間が累計され、期間記録テーブル１０３に記録される。
【０１３４】
次に、図１４を用いて末端送信機３Ｂでイベントの実行期間に応じてコンテンツの配信制御を行う処理について説明する。
【０１３５】
ここで、図１４のフローチャートの処理は、例えばダウンロードを受けるため携帯受信端末２Ｂが末端送信機３Ｂにセットされることで実行され、端末番号が携帯受信端末２Ｂから末端送信機３Ｂに通知されているとする。
【０１３６】
ステップＤ１：携帯受信端末２Ｂがセットされ、アップリンクでローカルイベント報告機能３０ｅにより期間記録テーブル１０３の内容が末端送信機３Ｂに通知されて、メモリ１８の期間記録テーブル１０２にコピーされたかチェックする。
【０１３７】
ステップＤ２：期間記録テーブルがコピーされていない場合はステップＤ１に戻る。
【０１３８】
ステップＤ３：携帯受信端末２Ｂで管理していた期間記録テーブルがコピーされた場合は、末端送信機３Ｂのシステムコントローラ１７は、きっかけ条件検出機能１７ｃにより期間記録テーブル１０２を走査し、実行期間が期間規定テーブル１０１で規定された目標期間を達成したイベントがあるかチェックする。
【０１３９】
ステップＤ４：実行期間が目標期間を達成したイベントがある場合はステップＤ５の処理を行う。
【０１４０】
ステップＤ５：実行期間が目標期間を達成したイベントがある場合は、期間規定テーブル１０１で規定された達成時動作を、達成時動作作動機能１７ｄにより起動する。
【０１４１】
ステップＤ６：きっかけ条件検出機能１７ｃが期間記録テーブル１０２を全て走査したかチェックする。
【０１４２】
ステップＤ７：きっかけ条件検出機能１７ｃが期間記録テーブル１０２を全て走査した場合は処理を終了し、全て走査していない場合はステップＤ３に戻る。
【０１４３】
以上の処理で、例えば携帯受信端末２Ｂで特定のコンテンツの再生等を規定期間行った後、末端送信機３Ｂにセットすることで、特定コンテンツの続きのコンテンツをダウンロードできる。これにより、例えば教育プログラム等でコンテンツを規定期間学習することで、次のステップに進めるようにするといったサービスを提供できる。
【０１４４】
従って、携帯受信端末２Ｂで発生するローカルなイベントの実行期間に基づいて、末端送信機３Ｂにセットされたときに所定の達成時動作を実行できるようにすることができる。
【０１４５】
ここで、以上の例では、１つのコンテンツの再生期間を検出すべき対象イベントの一例としたが、群管理したコンテンツの再生期間を検出すべき対象のイベントとすることもできる。
【０１４６】
例えば、携帯受信端末２Ｂが、コンテンツとして連続したレッスンデータを２回分ダウンロードできるとする。そして、期間規定テーブルの規定内容によって、レッスン１とレッスン２を学習するため、それぞれのコンテンツを規定期間再生すると、続きのレッスンのコンテンツのダウンロードが許可されるようにすることができる。これにより、レッスン２は規定期間学習（再生）したが、レッスン１は規定期間に到達していない場合に、次のレッスンに進めなくするようなサービスを提供できる。
【０１４７】
これにより、携帯受信端末２Ｂで一連のコンテンツを所定の順番で再生したか等を末端送信機３Ｂ側で確認して、コンテンツの配信を制御することができる。
【０１４８】
更に、携帯受信端末２Ｂで発生するローカルなイベントとしては、図示しない操作ボタンの押下期間等も対象とすることができる。
【０１４９】
＜コンテンツ配信システムの他の構成例＞
以上の例では、ダウンリンクチャネルをレーザを使用した空間伝送による光通信で実現し、アップリンクチャネルは無線通信で実現したが、ダウンリンクチャネルをレーザを使用した空間伝送による光通信で実現し、アップリンクチャネルを赤外線を利用した別の光通信で実現しても良い。更に、ダウンリンクチャネルとアップリンクチャネルをレーザを使用した空間伝送による双方向の光通信で実現しても良い。
【０１５０】
また、ダウンリンクチャネルとアップリンクチャネルの双方を無線通信で実現しても良いし、更には電気ケーブル等を利用した有線通信で実現して良い。
【０１５１】
次にダウンリンクチャネルを無線通信で実現した末端送信機と携帯受信端末の例について説明する。
【０１５２】
図１５は第３の実施の形態のコンテンツ配信システムの概要を示す構成図である。第３の実施の形態のコンテンツ配信システム１Ｃを構成する末端送信機３Ｃは、６０ＧＨｚ等のミリ波帯電波を送信する送信部を備える。また、携帯受信端末２Ｃは、ミリ波帯電波を受信する受信部と、端末の向きが末端送信機３Ｃを向いているか否かをユーザに認識させるインデックスレーザ用のレーザ光の発光手段を備える。
【０１５３】
ミリ波帯電波は直進性がありかつ多くの情報を伝送できるが、指向性が高いので、送信側と受信側の位置合わせが重要となる。本例では、携帯受信端末２Ｃをインデックスレーザが末端送信機３Ｃを照射する向きとすると、末端送信機３Ｃからの電波を受信できる位置関係となるようにして、簡単な構成でコンテンツ等の配信を可能とする。
【０１５４】
＜第３の実施の形態のコンテンツ配信システムの具体的構成例＞
図１６は第３の実施の形態のコンテンツ配信システム１Ｃの構成例を示すブロック図、図１７は末端送信機の構成例を示す一部破断斜視図で、次に末端送信機３Ｃおよび携帯受信端末２Ｃの具体的構成例について説明する。
【０１５５】
末端送信機３Ｃは、天井、壁面あるいは床面等に設置され、送信部５１、キャッシュメモリ５２、ブリッジＩＣ５３、シリアライザ５４を備える。なお、図１５では天井に設置した例を示す。
【０１５６】
送信部５１はダウンリンク用送信デバイスの一例で、第１の通信手段を構成する。送信部５１は６０ＧＨｚ帯等のミリ波帯電波を出力するアンテナ等を備える。
【０１５７】
キャッシュメモリ５２はいわゆる高速ストレージデバイスの一例で、ＲＡＭ等で構成され、送信部５１から出力するコンテンツのデータファイルを格納する。
【０１５８】
ブリッジＩＣ５３はキャッシュメモリ５２からデータファイルを読み出す。また、キャッシュメモリ５２にデータファイルを書き込む。
【０１５９】
シリアライザ５４はキャッシュメモリ５２からブリッジＩＣ５３により読み出されたデータファイルを、パラレルデータからシリアルデータに変換して送信部５１に送る。
【０１６０】
また、末端送信機３Ｃは主記憶装置５６、システムコントローラ５７、メモリ５８、外部Ｉ／Ｏ５９を備える。主記憶装置５６はいわゆる低速ストレージデバイスの一例で、例えばハードディスクドライブ装置（ＨＤＤ）等で構成され、キャッシュメモリ５２に格納するデータファイルを格納する。
【０１６１】
システムコントローラ５７はＣＰＵ等で構成され、コンテンツの配信制御を行う。メモリ５８はＲＡＭおよびＲＯＭ等で構成され、システムコントローラ５７で実行されるプログラム等を格納する。外部Ｉ／Ｏ５９は入出力手段の一例で、例えば操作部である。
【０１６２】
更に、末端送信機３Ｃは、無線通信部６０とネットワーク通信部６１を備える。無線通信部６０はアップリンク用受信デバイスの一例で、第２の通信手段を構成する。無線通信部６０は携帯受信端末２Ｃと通信を行うので、近距離通信が出来れば良く、例えばＢｌｕｅｔｏｏｔｈやＩＥＥＥ８０２．１１の使用が考えられる。
【０１６３】
ネットワーク通信部６１は、例えば図１に示すデータファイル更新配信センタ４とインターネットや専用回線等を介して接続される。
【０１６４】
また、末端送信機３Ｃは、インデックスセンサ６２、視認用ライト６３、インジケータ６４を備える。インデックスセンサ６２は装着検出手段の一例で、図１７に示すように送信部５１の図示しないアンテナに隣接して配置される。インデックスセンサ６２は例えば受光素子を備えた光センサ等で構成される。
【０１６５】
ここで、後述するインデックスレーザに端末番号等を重畳することで、インデックスセンサ６２で端末番号等の制御信号を受信することもできる。このため、インデックスセンサ６２で第２の通信手段を構成しても良い。
【０１６６】
視認用ライト６３は位置確認手段の一例で、図１７に示すように送信部５１の図示しないアンテナに隣接して配置される。ここで、末端送信機３Ｃは、視認用ライト６３を目視できる位置を、電波受信可能範囲内で規制するため、図１７に示すようにライトガイド５５を備える。
【０１６７】
ライトガイド５５は円錐型あるいは円筒型のカバーであり、図１５に示すように末端送信機３Ｃが天井に設置されている場合は、末端送信部３Ｃの下に位置すると、ユーザは視認用ライト６３を目視できるようになる。
【０１６８】
ユーザが視認用ライト６３を目視できる位置では、所定の位置に携帯受信端末２Ｃを配置することで、送信部５１からの指向性の高い電波が受信可能な状態となる。これに対して、ライトガイド５５により視認用ライト６３を目視できない位置では、送信部５１からの電波が受信不可能であることを認識できる。
【０１６９】
インジケータ６４は通知手段の一例で、通信状態等をユーザに通知する。
【０１７０】
ここで、インデックスセンサ６２で後述する携帯受信端末２Ｃからのインデックスレーザ光を検出すると、視認用ライト６３の点灯状態を変化させても良い。この場合は、視認用ライト６３が通知手段となる。このため本例では、視認用ライト６３は２色の異なる色で発光できる構成とする。
【０１７１】
末端送信機３Ｃのシステムコントローラ５７は、イベントの実行期間に応じたコンテンツ配信制御を行うため、プログラムを実行することで実現する機能である配信管理手段として、達成時動作作動機能５７ａを備える。達成時動作作動機能５７ａは、対象となるイベントの実行期間が目標期間に達した場合に、指定された動作を実行可能とする機能である。
【０１７２】
次に、携帯受信端末２Ｃの構成について説明する。携帯受信端末２Ｃは受信部６５、キャッシュメモリ６６、ブリッジＩＣ６７、デシリアライザ６８を備える。受信部６５はダウンリンク用受信デバイスの一例で、送信部５１と対になって第１の通信手段を構成する。受信部６５は６０ＧＨｚ帯等のミリ波帯電波を受信するアンテナ等を備える。
【０１７３】
キャッシュメモリ６６は高速ストレージデバイスの一例で、ＲＡＭ等で構成され、末端送信機３Ｃから受信したデータファイルを格納する。ブリッジＩＣ６７はキャッシュメモリ６６にデータファイルを書き込む。また、キャッシュメモリ６６からデータファイルを読み出す。
【０１７４】
デシリアライザ６８は受信部６５で受信したデータファイルを、シリアルデータからパラレルデータに変換してブリッジＩＣ６７に送る。
【０１７５】
また、携帯受信端末２Ｃはシステムコントローラ７０、メモリ７１、外部Ｉ／Ｏ７２を備える。システムコントローラ７０はＣＰＵ等で構成され、受信部６５で受信したデータファイルのキャッシュメモリ６６への格納、キャッシュメモリ６６に格納したデータファイルの読み出し等の制御を行う。
【０１７６】
メモリ７１はＲＡＭおよびＲＯＭ等で構成され、システムコントローラ７０で実行されるプログラム等を格納する。外部Ｉ／Ｏ７２は入出力手段の一例で、例えば操作部である。
【０１７７】
更に、携帯受信端末２Ｃはインデックスレーザ６９と電波センサ７３とディスプレイ７４を備える。インデックスレーザ６９は位置確認手段の一例で、可視光レーザあるいは指向性のある可視光を照射する。
【０１７８】
ここで、インデックスレーザ光が末端送信機３Ｃのインデックスセンサ６２を照射したときに、受信部６５が送信部５１からの電波を正しく受信できる位置関係となるように各部の配置が決定される。このため、例えば受信部６５の図示しないアンテナと、インデックスレーザ６５から出射されるレーザ光の向きが鉛直となるように配置される。
【０１７９】
ここで、インデックスレーザ６９によるレーザ光に端末番号等を重畳することで、インデックスレーザ６９で端末番号等の制御信号を送信することもできる。このため、インデックスレーザ６９はアップリンク用送信デバイスの一例で第２の通信手段を構成する。
【０１８０】
電波センサ７３は検出手段の一例で、受信部６５で電波を受信したか否かを検出する。ディスプレイ７４は通知手段の一例で、例えば通信状態等をユーザに通知する。
【０１８１】
また、携帯受信端末２Ｃは無線通信部７５を備える。無線通信部７５はアップリンク用送信デバイスの一例で、末端送信機３Ｃの無線通信部６０と対になって第２の通信手段を構成する。無線通信部７５は無線通信部６０と同じ通信機能を備えれば良く、例えばＢｌｕｅｔｏｏｔｈやＩＥＥＥ８０２．１１の使用が考えられる。
【０１８２】
なお、携帯受信端末２Ｃは主記憶装置７６を備えても良い。主記憶装置７６は低速ストレージデバイスの一例で、ハードディスクドライブ装置等で構成され、キャッシュメモリ６６に格納したデータファイルを格納する。
【０１８３】
主記憶装置７６はキャッシュメモリ６６より容量が大きく、末端送信機３Ｃから配信されてキャッシュメモリ６６に格納されたコンテンツのデータファイルを、主記憶装置７６に移動して格納することで、携帯受信端末２Ｃでコンテンツを保存できるようになる。
【０１８４】
携帯受信端末２Ｃのシステムコントローラ７０は、イベントの実行期間に応じたコンテンツ配信制御を行うため、プログラムを実行することで実現する機能である期間累計手段と配信管理手段として、イベント検出機能７０ａと、実行期間計数機能７０ｂと、きっかけ条件検出機能７０ｃと、達成時動作作動機能７０ｄを備える。
【０１８５】
また、これら機能で使用するデータを格納するため、メモリ７１には図３に示す期間規定テーブル１０１と図１２に示す期間記録テーブル１０３が格納される。
【０１８６】
イベント検出機能７０ａは、対象となるイベントを検出したか判断する機能である。実行期間計数機能７０ｂは、イベントの実行期間を計数する機能である。きっかけ条件検出機能７０ｃは、対象となるイベントの実行期間が目標期間に達したか判断する機能である。達成時動作作動機能７０ｄは、対象となるイベントの実行期間が目標期間に達した場合に、指定された動作を実行可能とする機能である。
【０１８７】
＜第３の実施の形態のコンテンツ配信システムの動作例＞
末端送信機３Ｃと携帯受信端末２Ｃの動作の概要を説明すると、まず、末端送信機３Ｃのシステムコントローラ５７は、視認用ライト６３を例えば赤色で点灯させておく。
【０１８８】
携帯受信端末２Ｃのユーザは、視認用ライト６３が目視できる位置に移動する。上述したように、末端送信機３Ｃに備えたライトガイド５５によって、ユーザは末端送信機３Ｃに対して所定の位置に来ないと、視認用ライト６３を目視できない。これにより、自身が携帯受信端末２Ｃを利用してコンテンツ配信を受けられる位置にいるか否かを認識できる。
【０１８９】
携帯受信端末２Ｃのユーザは、視認用ライト６３が目視できる位置で、インデックスレーザ６９を照射し、インデックスレーザ６９のレーザ光で末端送信部３Ｃを照射できるように、携帯受信端末２Ｃの向きを調整する。
【０１９０】
インデックスレーザ６９のレーザ光は可視光であるので、ユーザは容易に携帯受信端末２Ｃを所定の向きに調整できる。
【０１９１】
末端端末装置３Ｃのシステムコントローラ５７は、インデックスセンサ６２が光を検出すると、携帯受信端末２Ｃが電波の受信可能範囲に位置したと判断して、視認用ライト６３の点灯色を例えば緑に切り替える。
【０１９２】
これにより、ユーザは携帯受信端末２Ｃが電波の受信ができる状態になったと認識できる。
【０１９３】
また、携帯受信端末２Ｃのシステムコントローラ７０は、インデックスレーザ６９のレーザ光にメモリ７１等に記録した端末番号を重畳することで、携帯受信端末２Ｃからのアップリンクで自機の端末番号を末端送信部３Ｃに通知する。
【０１９４】
ここで、末端送信機３Ｃには、図９で説明した配信許諾端末番号テーブルとコンテンツのデータ本体が配信されてキャッシュメモリ５２等に保存されている。
【０１９５】
システムコントローラ５７は、携帯受信端末２Ｃから通知された端末番号が配信許諾端末番号テーブルに登録されているか否かチェックする。
【０１９６】
そして、携帯受信端末２Ｃから通知された端末番号が配信許諾端末番号テーブルに登録されている場合は、配信許諾端末番号テーブルで特定される該当コンテンツのデータファイルを送信部５１から出力する。
【０１９７】
末端送信機３Ｃの送信部５１から出力されたデータファイルは、携帯受信端末２Ｃの受信部６５で受信され、キャッシュメモリ６６等に格納される。
【０１９８】
これにより、末端送信機３Ｃと携帯受信端末２Ｃの間で、無線通信によってコンテンツの配信が行われる。
【０１９９】
図１８および図１９はイベントの実行期間に応じた配信制御の第３の処理例を示すフローチャートで、次に、携帯受信端末２Ｃでイベントの実行期間を管理し、携帯受信端末２Ｃと末端送信機３Ｃの協働でイベントの実行期間に応じたコンテンツの配信制御を行う動作例を説明する。
【０２００】
ステップＥ１：まず、携帯受信端末２Ｃのシステムコントローラ７０は、メモリ７１の期間記録テーブル１０４における接続試行期間であるインデックスレーザ照射期間の累計値をゼロにクリアする。
【０２０１】
ステップＥ２：携帯受信端末２Ｃのシステムコントローラ７０は、イベント検出機能７０ａにより、インデックスレーザ６９を照射する図示しない操作ボタンが押されたかチェックする。上述したように、携帯受信端末２Ｃのユーザは、視認用ライト６３が目視できる位置に移動して、インデックスレーザ６９を照射する図示しない操作ボタンを押すことでインデックスレーザ６９を発光させ、末端送信機３Ｃの方向を照射する。
【０２０２】
ステップＥ３：携帯受信端末２Ｃのシステムコントローラ７０は、イベント検出機能７０ａにより、インデックスレーザ６９を照射する図示しない操作ボタンが押されたことを検出しない場合は、ここではステップＥ１に戻る。
【０２０３】
ステップＥ４：インデックスレーザ６９を照射する図示しない操作ボタンが押されると、システムコントローラ７０は、実行期間計数機能７０ｂにより、メモリ７１の期間記録テーブル１０３に記録すべきインデックスレーザ６９の照射期間の計時を開始する。ここで、インデックスレーザ６９の照射期間は、携帯受信端末２Ｃを末端送信機３Ｃに接続するための待ち時間となるので、以下の説明では待機期間と称す。
【０２０４】
ステップＥ５：携帯受信端末２Ｃのシステムコントローラ７０は、インデックスレーザ６９のレーザ光に、メモリ７１等に予め登録してある自機の端末番号を繰り返し重畳して末端送信機３Ｃに送信する。
【０２０５】
ステップＥ６：末端送信機３Ｃのシステムコントローラ５７は、インデックスセンサ６２がインデックスレーザ６９のレーザ光を受信したかチェックする。
【０２０６】
ステップＥ７：末端送信機３Ｃのシステムコントローラ５７は、インデックスセンサ６２がインデックスレーザ６９のレーザ光を受信していない場合はステップＥ６に戻る。
【０２０７】
ステップＥ８：末端送信機３Ｃのシステムコントローラ５７は、インデックスセンサ６２がインデックスレーザ６９のレーザ光を受信した場合は、レーザ光に重畳された端末番号を解析する。
【０２０８】
ステップＥ９：末端送信機３Ｃのシステムコントローラ５７は、携帯受信端末２Ｃから受信した端末番号と共に、選択的レーザ停止信号を送信部５１から送信する。同時に、視認用ライト６３の点灯色を変更する等により、ユーザに携帯受信端末２Ｃとのアップリンクが確立したことを通知する。
【０２０９】
ここで、図１４に示す電波受信範囲に複数のユーザが存在し、ほぼ同時にダウンロード要求のため各携帯受信端末２Ｃのインデックスレーザ６９の照射を開始したとすると、末端送信機３Ｃのシステムコントローラ７０は、その中の１つの携帯受信端末２Ｃを選択して、その端末番号と選択的レーザ停止信号を送信する。
【０２１０】
そして、視認用ライト６３の点灯色を変更する等により、電波受信範囲にいる複数のユーザにいずれかの携帯受信端末２Ｃとのアップリンクが確立したことを通知する。
【０２１１】
ステップＥ１０：携帯受信端末２Ｃのシステムコントローラ７０は、受信部６５で端末番号と選択的レーザ停止信号を受信したかチェックする。
【０２１２】
ステップＥ１１：携帯受信端末２Ｃのシステムコントローラ７０は、受信部６５で端末番号と選択的レーザ停止信号を受信していない場合はステップＥ１０に戻る。
【０２１３】
ステップＥ１２：携帯受信端末２Ｃのシステムコントローラ７０は、受信部６５で端末番号と選択的レーザ停止信号を受信した場合は、受信した信号から端末番号を分離し、受信した端末番号がメモリ７１等に格納されている自機の端末番号と同じかチェックする。
【０２１４】
ステップＥ１３：受信した端末番号が自機の端末番号と異なる場合はステップＥ１４の処理を行い、同じ場合はステップＥ１９の処理を行う。
【０２１５】
ステップＥ１４：携帯受信端末２Ｃのシステムコントローラ７０は、受信した端末番号が自機の端末番号と異なる場合は、インデックスレーザ６９の発光を一時停止する。同時に、当該携帯受信端末２Ｃはアップリンク交信確立待ちで待機状態に入った旨を、ディスプレイ７４等の表示してユーザに通知する。
【０２１６】
ステップＥ１５：携帯受信端末２Ｃのシステムコントローラ７０は、メモリ７１の期間記録テーブル１０３に記録すべき待機期間の計時を続ける。
【０２１７】
ステップＥ１６：携帯受信端末２Ｃのシステムコントローラ７０は、ユーザがインデックスレーザ６９を照射する図示しない操作ボタンを離したかチェックする。
【０２１８】
ステップＥ１７：携帯受信端末２Ｃのシステムコントローラ７０は、ユーザがインデックスレーザ６９を照射する図示しない操作ボタンを離したと判断すると、処理を終了する。ここで、待機期間の計時も停止する。
【０２１９】
ステップＥ１８：携帯受信端末２Ｃのシステムコントローラ７０は、ユーザがインデックスレーザ６９を照射する図示しない操作ボタンを押し続けていると判断すると、待機状態を維持する。待機状態では、他の携帯受信端末２Ｃのインデックスレーザ６９の再発光のタイミングと重ならないように、乱数等に従い所定のタイミングでインデックスレーザ６９を再発光させる。
【０２２０】
ステップＥ１９：携帯受信端末２Ｃのシステムコントローラ７０は、受信した端末番号が自機の端末番号と同じである場合は、アップリンクが確立した旨をディスプレイ７４等でユーザに通知する。
【０２２１】
ステップＥ２０：携帯受信端末２Ｃのシステムコントローラ７０は、インデックスレーザ６９の発光を停止する。
【０２２２】
ステップＥ２１：携帯受信端末２Ｃのシステムコントローラ７０は、メモリ７１の期間記録テーブル１０３に記録すべき待機期間の計時を停止する。これによりメモリ７１の期間記録テーブル１０３には、インデックスレーザ６９の照射を開始してから、アップリンクが確立するまでの期間が記録される。
【０２２３】
ステップＥ２２：携帯受信端末７０のシステムコントローラ７０は、期間記録テーブル１０３に記録した待機期間が、期間規定テーブル１０１で規定された目標期間を達成したかきっかけ条件検出機能７０ｃによりチェックする。
【０２２４】
ステップＥ２３：目標期間を達成した場合はステップＥ２４の処理を行い、達成しない場合はステップＥ２４の処理をスキップしてステップＥ２５の処理を行う。
【０２２５】
ステップＥ２４：携帯受信端末７０のシステムコントローラ７０は、待機期間が目標期間を達成した場合は、アップリンクにより末端送信機３Ｃに通知すると共に、期間規定テーブル１０１で規定された達成時動作を、達成時動作作動機能７０ｄと、末端送信機３Ｃの達成時動作作動機能５７ａの協働で起動する。また、達成時動作が起動したことを、ディスプレイ７４等でユーザに通知する。なお、ここでの達成時処理としては、次回より、例えば５回分は待ち時間を短縮する等の処理である。
【０２２６】
ステップＥ２５：末端送信機３Ｃと携帯受信端末２Ｃの間で端末番号で特定された該当コンテンツの配信が行われる。
【産業上の利用可能性】
【０２２７】
本発明は、不特定多数のユーザがコンテンツ受信装置を所有し、街頭等にコンテンツ送信装置を設置して、短時間で大容量のコンテンツを配信できるシステムの実現に好適である。
【図面の簡単な説明】
【０２２８】
【図１】本実施の形態のコンテンツ配信システムの概要を示す構成図である。
【図２】第１の実施の形態のコンテンツ配信システムの構成例を示すブロック図である。
【図３】期間規定テーブルの一例である。
【図４】期間記録テーブルの一例である。
【図５】携帯受信端末の構成例を示す外観斜視図である。
【図６】末端送信機の構成例を示す外観斜視図である。
【図７】末端送信機から携帯受信端末への配信処理例を示すフローチャートである。
【図８】末端送信機から携帯受信端末への配信処理例を示すフローチャートである。
【図９】配信許諾端末番号テーブルの一例である。
【０２２９】
【図１０】イベントの実行期間に応じた配信制御の第１の処理例を示すフローチャートである。
【図１１】第２の実施の形態のコンテンツ配信システムの構成例を示すブロック図である。
【図１２】期間記録テーブルの一例である。
【図１３】イベントの実行期間に応じた配信制御の第２の処理例を示すフローチャートである。
【図１４】イベントの実行期間に応じた配信制御の第２の処理例を示すフローチャートである。
【図１５】第３の実施の形態のコンテンツ配信システムの概要を示す構成図である。
【図１６】第３の実施の形態のコンテンツ配信システムの構成例を示すブロック図である。
【図１７】末端送信機の構成例を示す一部破断斜視図である。
【図１８】イベントの実行期間に応じた配信制御の第３の処理例を示すフローチャートである。
【図１９】イベントの実行期間に応じた配信制御の第３の処理例を示すフローチャートである。
【符号の説明】
【０２３０】
１・・・コンテンツ配信システム、２・・・携帯受信端末、３・・・末端送信機、１１・・・発光部、１２・・・キャッシュメモリ、１３・・・ブリッジＩＣ、１４・・・シリアライザ、１５・・・レーザダイオード、１６・・・主記憶装置、１７・・・システムコントローラ、１８・・・メモリ、１９・・・外部Ｉ／Ｏ、２０・・・無線通信部、２１・・・ネットワーク通信部、２２・・・検出スイッチ、２４・・・ディスプレイ、２５・・・受光部、２６・・・キャッシュメモリ、２７・・・ブリッジＩＣ、２８・・・デシリアライザ、２９・・・フォトディテクタ、３０・・・システムコントローラ、３１・・・メモリ、３２・・・外部Ｉ／Ｏ、３３・・・レーザセンサ、３４・・・ディスプレイ、３５・・・無線通信部、３６・・・主記憶装置
【図１】
2005339026.tif 000003
【図２】
2005339026.tif 000004
【図３】
2005339026.tif 000005
【図４】
2005339026.tif 000006
【図５】
2005339026.tif 000007
【図６】
2005339026.tif 000008
【図７】
2005339026.tif 000009
【図８】
2005339026.tif 000010
【図９】
2005339026.tif 000011
【図１０】
2005339026.tif 000012
【図１１】
2005339026.tif 000013
【図１２】
2005339026.tif 000014
【図１３】
2005339026.tif 000015
【図１４】
2005339026.tif 000016
【図１５】
2005339026.tif 000017
【図１６】
2005339026.tif 000018
【図１７】
2005339026.tif 000019
【図１８】
2005339026.tif 000020
【図１９】
2005339026.tif 000021